(57)【要約】【課題】光学部品の取付精度を維持できる支持構造、光走査装置の取付構造、光走査装置、画像形成装置を得る。【解決手段】Ｆθレンズ１１８の球形部１２６が、側壁１３４の丸穴部１３８Ａを通って縦穴部１３８Ｂの下端部まで押し下げられ、板バネ１４４の付勢力Ｆ１により押圧されて、球形部１２６と凹部１４２とが嵌合し、Ｆθレンズ１１８の一端が支持される。このとき、Ｆθレンズ１１８がどの方向に移動されても、球形部１２６は、側壁１３４の凹部１４２の表面に沿って回転移動するので、衝撃が加えられても、球形部１２６が凹部１４２に密着しており、隙間ができにくく、取付精度を維持できる。【選択図】図４
2008046400.tif 000002
【特許請求の範囲】
【請求項１】
光ビームを出射して被走査面を走査露光する光走査装置の筐体内に設けられた光学部品の支持構造において、
前記筐体の側壁に形成された球面を有する凹部と、
前記光学部品の一端部に形成され、前記凹部に支持される球体部と、
前記筐体の側壁に形成され前記光学部品の他端部を支持する支持部と、
前記凹部又は前記支持部に設けられ、前記球体部を前記凹部へ密着させる付勢力を前記光学部品に付与する付勢部材と、
を有することを特徴とする支持構造。
【請求項２】
前記光学部品の他端部に固定側球体部を形成し、前記固定側球体部の球面部分を前記支持部に設けた弾性部材で支持することを特徴とする請求項１に記載の支持構造。
【請求項３】
前記凹部に支持された前記球体部を押圧する弾性部材を前記筐体の側壁に設けたことを特徴とする請求項１又は請求項２に記載の支持構造。
【請求項４】
前記球体部は、光学部品の一端部から軸方向へ延び該球体部の外径より外寸法が小さい軸部の先端部に形成され、前記筐体の側壁には、前記凹部とつながり前記球体部の外径より大径の貫通孔が形成されたことを特徴とする請求項１から請求項３のいずれか１項に記載の支持構造。
【請求項５】
前記固定側球体部は、光学部品の他端部から軸方向へ延びる軸部の先端部に形成され、前記支持部には、前記軸部を支持し前記筐体の側壁に固定されるプレートと、前記プレートと前記固定側球体部との間に挿入され、前記球体部を前記凹部へ密着させる付勢力を前記光学部品に付与する弾性部材と、が設けられたことを特徴とする請求項１から請求項４のいずれか１項に記載の支持構造。
【請求項６】
前記固定側球体部の前記筐体の外側面に、前記光学部品を軸回りに回転させる治具が嵌る凹部を形成したことを特徴とする請求項１から請求項５のいずれか１項に記載の支持構造。
【請求項７】
請求項１から請求項６のいずれか１項に記載の支持構造を備えたことを特徴とする光走査装置。
【請求項８】
光ビームを出射して被走査面を走査露光する光走査装置をタンデム式の画像形成装置のフレームに取付ける光走査装置の取付構造において、
前記光走査装置の筐体から突設されたシャフトと、
前記シャフトの先端に設けられた球体部と、
前記フレームに形成され、前記球体部を支持する凹部と、
前記フレームに設けられ、前記球体部を前記凹部へ密着させる付勢力を前記筐体へ付与する付勢部材と、
を有することを特徴とする光走査装置の取付構造。
【請求項９】
請求項７に記載の光走査装置又は請求項８に記載の光走査装置の取付構造を備えたことを特徴とする画像形成装置。
【発明の詳細な説明】
【技術分野】
【０００１】
本発明は、支持構造、光走査装置の取付構造、光走査装置、及び画像形成装置に関する。
【背景技術】
【０００２】
従来、プリンタや複写機等の画像形成装置において、光源から出射された光ビームをポリゴンミラーで偏向し、ｆθレンズや反射ミラー等の光学部品で光ビームを調整、反射して感光体表面を走査させる光走査装置が広く利用されている。
【０００３】
ここで、光走査装置の光学部品の取付時に種々の調整が行われるが、反射ミラーの傾き状態又はあおり状態を反射ミラーを移動又は回転することによって調整する光走査装置が開示されている。（例えば、特許文献１参照）
この光走査装置では、反射ミラーを支持板で支持し、支持板の一端部を左右調整バネ及び軸受により光学箱の側壁に固定している。
【特許文献１】特開２００３−２８７７００
【発明の開示】
【発明が解決しようとする課題】
【０００４】
本発明は、光学部品の取付精度を維持できる支持構造、光走査装置の取付構造、光走査装置、及び画像形成装置を得ることを目的とする。
【課題を解決するための手段】
【０００５】
本発明の請求項１に係る支持構造は、光ビームを出射して被走査面を走査露光する光走査装置の筐体内に設けられた光学部品の支持構造において、前記筐体の側壁に形成された球面を有する凹部と、前記光学部品の一端部に形成され、前記凹部に支持される球体部と、前記筐体の側壁に形成され前記光学部品の他端部を支持する支持部と、前記凹部又は前記支持部に設けられ、前記球体部を前記凹部へ密着させる付勢力を前記光学部品に付与する付勢部材と、を有することを特徴としている。
【０００６】
本発明の請求項２に係る支持構造は、前記光学部品の他端部に固定側球体部を形成し、前記固定側球体部の球面部分を前記支持部に設けた弾性部材で支持することを特徴としている。
【０００７】
本発明の請求項３に係る支持構造は、前記凹部に支持された前記球体部を押圧する弾性部材を前記筐体の側壁に設けたことを特徴としている。
【０００８】
本発明の請求項４に係る支持構造は、前記球体部は、光学部品の一端部から軸方向へ延び該球体部の外径より外寸法が小さい軸部の先端部に形成され、前記筐体の側壁には、前記凹部とつながり前記球体部の外径より大径の貫通孔が形成されたことを特徴としている。
【０００９】
本発明の請求項５に係る支持構造は、前記固定側球体部は、光学部品の他端部から軸方向へ延びる軸部の先端部に形成され、前記支持部には、前記軸部を支持し前記筐体の側壁に固定されるプレートと、前記プレートと前記固定側球体部との間に挿入され、前記球体部を前記凹部へ密着させる付勢力を前記光学部品に付与する弾性部材と、が設けられたことを特徴としている。
【００１０】
本発明の請求項６に係る支持構造は、前記固定側球体部の前記筐体の外側面に、前記光学部品を軸回りに回転させる治具が嵌る凹部を形成したことを特徴としている。
【００１１】
本発明の請求項７に係る光走査装置は、請求項１から請求項６のいずれか１項に記載の支持構造を備えたことを特徴としている。
【００１２】
本発明の請求項８に係る光走査装置の取付構造は、光ビームを出射して被走査面を走査露光する光走査装置をタンデム式の画像形成装置のフレームに取付ける光走査装置の取付構造において、前記光走査装置の筐体から突設されたシャフトと、前記シャフトの先端に設けられた球体部と、前記フレームに形成され、前記球体部を支持する凹部と、前記フレームに設けられ、前記球体部を前記凹部へ密着させる付勢力を前記筐体へ付与する付勢部材と、を有することを特徴としている。
【００１３】
本発明の請求項９に係る画像形成装置は、請求項７に記載の光走査装置又は請求項８に記載の光走査装置の取付構造を備えたことを特徴としている。
【発明の効果】
【００１４】
本発明は、上記構成としたので、請求項１の発明は、光学部品の取付精度を維持できる。請求項２の発明は、光学部品の取付精度をさらに維持できる。請求項３の発明は、光学部品の取付精度をさらに維持できる。請求項４の発明は、光学部品の取付けが容易となる。請求項５の発明は、光学部品の取付精度をさらに維持できる。請求項６の発明は、光学部品の回転調整が容易となる。請求項７の発明は、光走査装置の調整が容易となる。請求項８の発明は、画像形成装置に光走査装置を取付ける場合の取付精度を維持できる。請求項９の発明は、光学部品、光走査装置の調整が容易となり、調整後も取付状態が安定するので、カラー画像形成を安定して行える。
【発明を実施するための最良の形態】
【００１５】
本発明の支持構造、光走査装置の取付構造、光走査装置、及び画像形成装置の取付構造の第１実施形態を図面に基づき説明する。
【００１６】
図１には、画像形成装置としてのプリンタ１０が示されている。
【００１７】
プリンタ１０において、筐体１２に光走査装置１００が固定されており、光走査装置１００に隣接する位置に、光走査装置１００及びプリンタ各部の動作を制御する制御ユニット５０が設けられている。
【００１８】
プリンタ１０の下方側には、記録用紙Ｐを収納する用紙トレイ１４が設けられている。用紙トレイ１４の上方には、記録用紙Ｐの先端部位置を調整する一対のレジストローラ１６が設けられている。
【００１９】
プリンタ１０の中央部には、画像形成ユニット１８が設けられている。画像形成ユニット１８は、イエロー（Ｙ）、マゼンタ（Ｍ）、シアン（Ｃ）、及び ブラック（Ｋ）の各トナーに対応して、４つの感光体ドラム２０Ｙ、２０Ｍ、２０Ｃ、２０Ｋを備えており、これらが上下一列に並んでいる。
【００２０】
感光体ドラム２０Ｙ、２０Ｍ、２０Ｃ、２０Ｋの回転方向上流側には、感光体ドラム２０Ｙ、２０Ｍ、２０Ｃ、２０Ｋの表面を帯電する帯電ローラ２２Ｙ、２２Ｍ、２２Ｃ、２２Ｋが設けられている。
【００２１】
また、感光体ドラム２０Ｙ、２０Ｍ、２０Ｃ、２０Ｋの回転方向下流側には、Ｙ、Ｍ、Ｃ、Ｋの各トナーをそれぞれ感光体２０Ｙ、２０Ｍ、２０Ｃ、２０Ｋ上に現像する現像器２４Ｙ、２４Ｍ、２４Ｃ、２４Ｋが設けられている。
【００２２】
一方、感光体ドラム２０Ｙ、２０Ｍには第１中間転写体２６が接触し、感光体ドラム２０Ｃ、２０Ｋには第２中間転写体２８が接触している。そして、第１中間転写体２６、第２中間転写体２８には第３中間転写体３０が接触している。
【００２３】
第３中間転写体３０と対向する位置には、転写ロール３２が設けられている。転写ロール３２と第３中間転写体３０との間を記録用紙Ｐが搬送され、第３中間転写体３０上のトナー画像を記録用紙Ｐに転写させる。
【００２４】
記録用紙Ｐが搬送される用紙搬送路３４の下流には、定着装置３６が設けられている。定着装置３６は、加圧ローラ３８と加熱ローラ４０を有しており、記録用紙Ｐを加熱・加圧してトナー画像を記録用紙Ｐ上に定着させる。
【００２５】
トナー画像が定着された記録用紙Ｐは、用紙搬送ローラ４２でトレイ４４に輩出される。
【００２６】
ここで、プリンタ１０の画像形成について説明する。
【００２７】
画像形成が開始されると、各感光体ドラム２０Ｙ〜２０Ｋの表面が一様に帯電される。
【００２８】
光走査装置１００から出力画像に対応した光ビーム６０Ｙ〜６０Ｋが、帯電後の感光体ドラム２０Ｙ〜２０Ｋの表面に照射され、感光体ドラム２０Ｙ〜２０Ｋ上に各色分解画像に応じた静電潜像が形成される。
【００２９】
この静電潜像に対して、現像装置２４Ｙ〜２４Ｋが選択的に各色、すなわちＹ〜Ｋのトナーを付与し、感光体ドラム２０Ｙ〜２０Ｋ上にＹ〜Ｋ色のトナー画像が形成される。
【００３０】
その後、マゼンタ用の感光体ドラム２０Ｍから第１中間転写体２６に、マゼンタのトナー画像が一次転写される。また、イエロー用の感光体ドラム２０Ｙから第１中間転写体２６に、イエローのトナー画像が一次転写され、第１中間転写体２６上で前記マゼンタのトナー画像に重ね合わされる。
【００３１】
一方、同様にブラック用の感光体ドラム２０Ｋから、第２中間転写体２８にブラックのトナー画像が一次転写される。また、シアン用の感光体ドラム２０Ｃから第２中間転写体２８に、シアンのトナー画像が一次転写され、第２中間転写体２８上で前記ブラックのトナー画像に重ね合わされる。
【００３２】
第１中間転写体２６へ一次転写されたマゼンタとイエローのトナー画像は、第３中間転写体３０へ二次転写される。一方、第２中間転写体２８へ一次転写されたブラックとシアンのトナー画像も、第３中間転写体３０へ二次転写される。
【００３３】
ここで先に二次転写されているマゼンタ 、イエローのトナー画像と、シアンおよびブラックのトナー画像とが重ね合わされ、カラー（３色）とブラックのフルカラートナー画像が第３中間転写体３０上に形成される。
【００３４】
二次転写されたフルカラートナー画像は、第３中間転写体３０と転写ロール３２との間のニップ部に達する。そのタイミングに同期して、レジストロール１６から記録用紙Ｐが当該ニップ部分に搬送され、記録用紙Ｐ上にフルカラートナー画像が三次転写（最終転写）される。
【００３５】
この記録用紙Ｐは、その後、定着装置３６に送られ、加圧ロール３８と加熱ロール４０とのニップ部分を通過する。その際、加圧ロール３８と加熱ロール４０とから与えられる熱と圧力との作用により、フルカラートナー画像が記録用紙Ｐに定着する。定着後、記録用紙Ｐは排出され、記録用紙Ｐへのフルカラー画像形成が終了する。
【００３６】
次に、光走査装置１００について説明する。
【００３７】
図２に示すように、光走査装置１００は、光学箱１０２を備えている。光学箱１０２は、境界部１０８を境に第１ケース部１０４と第２ケース部１０６とに別れている。
【００３８】
光走査装置１００は、まず、第１ケース部１０４に保持されている各シングルレーザビームアレイ１１０Ｙ〜１１０Ｋから各色光ビーム６０Ｙ〜６０Ｋを射出する。各色光ビーム６０Ｙ〜６０Ｋは、各種光学部品で反射及び透過し、偏向走査装置１１２の回転多面鏡１１４に入射する。
【００３９】
次に、回転多面鏡１１４の反射面により光ビーム６０Ｙ〜６０Ｋの全てがＦθレンズ１１６，１１８に入射する。
【００４０】
そして、光ビーム６０Ｙ〜６０Ｋは反射ミラー１１１によって反射され、境界部１０８の中央部分にあけられた窓１０８Ａから第２ケース部１０６に出射される。
【００４１】
近接した４本の光ビーム６０Ｙ〜６０Ｋは、光分離多面鏡１１３によって各感光体ドラム２０Ｙ〜２０Ｋの配列位置に応じた方向に分離される。光分離多面鏡１１３で分離された４本の光ビーム６０Ｙ〜６０Ｋは、反射ミラー１１５Ｙ〜１１５Ｋによって反射する。
【００４２】
反射ミラー１１５Ｙ〜１１５Ｋで反射した光ビーム６０Ｙ〜６０Ｋは、反射ミラー１１７Ｙ〜１１７Ｋによって、それぞれ対応する各感光体ドラム２０Ｙ〜２０Ｋに導かれる。
【００４３】
次に、支持構造について説明する。
【００４４】
ここでは、一例として、Ｆθレンズ１１８の支持構造について説明する。
【００４５】
図３は、光学箱１０２の側壁１３４と側壁１３６の間に、Ｆθレンズ１１８が張架され支持された状態を示している。
【００４６】
図３に示すように、Ｆθレンズ１１８の一方の側面から外方に向けて直方体状の支持ベース１２２及び支軸１２４が突設されており、さらに、支軸１２４の端部には、球形状の球形部１２６が設けられている。
【００４７】
一方、Ｆθレンズ１１８の他方の側面から外方に向けて直方体状の支持ベース１２８及び支軸１３０が突設されており、支軸１３０の端部には、半球形状の半球部１３２が設けられている。
ここで、Ｆθレンズ１１８は、プラスチックレンズであり、Ｆθレンズ１１８、支持ベース１２２、１２８、支軸１２４、１３０、球形部１２６、及び半球部１３２は一体成形されている。
【００４８】
図３及び図４ａに示すように、側壁１３４には、球形部１２６が挿通可能な挿通穴１３８が設けられている。
【００４９】
挿通穴１３８は、球形部１２６を挿通する丸穴部１３８Ａと、支軸１２４を挿通する縦穴部１３８Ｂとで構成されている。丸穴部１３８Ａ及び縦穴部１３８Ｂは連通している。
【００５０】
縦穴部１３８Ｂの下端部には、球形部１２６の球面と略等しい曲率の球面を有する凹部１４２が形成されている。
【００５１】
また、挿通穴１３８の上方には、ネジ締め用の締結穴１６２が形成されており、締結穴１６２の上方には、凸状のボス１４８が設けられている。
【００５２】
ここで、Ｆθレンズ１１８の球形部１２６が、側壁１３４の丸穴部１３８Ａを挿通され、支軸１２４が縦穴部１３８Ｂに沿って押し下げられることにより、Ｆθレンズ１１８が側壁１３４に軸支される。
【００５３】
続いて、一方側がへの字型に曲げられた板バネ１４４が、ボス１４８で位置決めされ、ネジ１４６が締結穴１６２に締結されることで、側壁１３４に固定される。
【００５４】
図４ｂに示すように、板バネ１４４は、Ｆθレンズ１１８の球形部１２６を側壁１３４に押しつける方向に力Ｆ１で付勢している。これにより、Ｆθレンズ１１８の球形部１２６と、凹部１４２とが密着する。
【００５５】
一方、図３及び図５に示すように、側壁１３６には、Ｆθレンズ１１８が挿通可能な挿通穴１４０が形成されており、さらにネジ締結用の締結穴１５８及び１６０が形成されている。挿通穴１４０により、組立時に側壁１３６の外側からＦθレンズ１１８を取付けられるようになっている。
【００５６】
側壁１３６の外面側には、ネジ１５２、１５４が締結穴１５８、１６０に締結されることで、調整板金１５０が固定される。
【００５７】
調整板金１５０は、図５ａに示すように、調整用チャック１５０Ａ、固定用穴１５０Ｂと、調整用凹部１５０Ｃと、支持凹部１５０Ｄが形成されている。
【００５８】
調整用チャック１５０Ａは、Ｆθレンズの位置調整を行う治具のピンがチャッキングされる。固定用穴１５０Ｂは、調整板金１５０を側壁１３６に固定するときに、ネジの軸部が挿通される。
【００５９】
調整用凹部１５０Ｃは、側壁１３６から外方に突設されたボス１３６Ａ、１３６Ｂ（図５ｃ参照）と係合することで、側壁１３６の外面上で大まかな位置決めがされる。
【００６０】
支持凹部１５０Ｄは、調整板金１５０の側面部から中心部に向けて幅が狭くなる凹部となっており、調整板金１５０の中心部においてＦθレンズ１１８の支軸１３０と略等しい幅とされている。
【００６１】
ここで、図５ｃに示すように、側壁１３６と調整板金１５０との隙間に挟まれることにより、板バネ１５６が固定されるようになっている。
【００６２】
板バネ１５６は、図５ｂに示すように、への字型に曲げられた付勢部１５６Ａと、板バネ１５６を側壁１３６に固定するための引掛部１５６Ｂと、付勢部１５６Ａに形成されＦθレンズ１１８の支軸１３０（図３参照）が挿通可能な凹部１５６Ｃとが形成されている。
【００６３】
なお、調整板金１５０及び板バネ１５６により、支持部１５３が構成されている。
【００６４】
図５ｃに示すように、Ｆθレンズ１１８（図３参照）の半球部１３２の端面には、調整用治具が嵌められＦθレンズ１１８の回転又は位置調整が行われる六角形の凹部１６８が設けられている。
【００６５】
次に、本発明の第１実施形態の作用について説明する。
【００６６】
図３に示すように、まず、Ｆθレンズ１１８が、側壁１３６の挿通穴１４０を通って、側壁１３４と側壁１３６との間に配置される。
【００６７】
続いて、Ｆθレンズ１１８の球形部１２６が、側壁１３４の丸穴部１３８Ａを挿通され、支軸１２４が縦穴部１３８Ｂの下端部まで押し下げられる。
【００６８】
続いて、板バネ１４４がボス１４８で位置決めされ、ネジ１４６により側壁１３４に固定される。このとき、板バネ１４４は、球形部１２６に当接し、球形部１２６を側壁１３４側に押圧する。これにより、球形部１２６と凹部１４２とが密着し、Ｆθレンズ１１８の一端が支持される。
【００６９】
続いて、図５ｃに示すように、Ｆθレンズ１１８の支軸１３０が、調整板金１５０の支持凹部１５０Ｄにより支持されるとともに、調整用凹部１５０Ｃと側壁１３６のボス１３６Ａ、１３６Ｂとが係合される。
【００７０】
ここで、ネジ１６６が、側壁１３４から落下しない程度にゆるく締められ、調整板金１５０が側壁１３６の外面に仮固定される。
【００７１】
続いて、板バネ１５６の引掛部１５６Ｂが、側壁１３６と調整板金１５０とに挟まれ、付勢部１５６Ａが、Ｆθレンズ１１８の半球部１３２に当接する。
【００７２】
続いて、図示しない調整治具が、調整用チャック１５０Ａをチャッキングして調整板金１５０Ａを上下、左右、斜め方向に移動させるとともに、各シングルレーザビームアレイ１１０Ｙ〜１１０Ｋから出射された各色光ビーム６０Ｙ〜６０Ｋの光走査位置等が、図示しない測定手段により測定される。
【００７３】
このとき、Ｆθレンズ１１８がどの方向に移動されても、球形部１２６は、側壁１３４の凹部１４２表面に沿って回転移動するので、Ｆθレンズ１１８は引っ掛かることなく、滑らかに移動し、調整がし易い。
【００７４】
各色光ビーム６０Ｙ〜６０Ｋの光走査位置等が、予め設定された調整規格内となったら、ネジ１６６を締結し、調整板金１５０を側壁１３６の外面に固定する。
【００７５】
調整板金１５０の固定により板バネ１５６も固定され、板バネ１５６が、半球部１３２を側壁１３６から離れる方向に力Ｆ２で付勢する。
【００７６】
続いて、図示しない調整治具が半球部１３２の凹部１６８に嵌められ、Ｆθレンズ１１８（図３参照）が支軸１３０を中心として回転されることにより、各色光ビーム６０Ｙ〜６０Ｋの他の調整が行われる。
【００７７】
上記調整終了後、ネジロック等の接着剤を用いて、Ｆθレンズ１１８が固定される。
【００７８】
ここで、図４ｂ及び図５ｃに示すように、Ｆθレンズ１１８は、板バネ１４４及び板バネ１５６の付勢力Ｆ１、Ｆ２により一方向に付勢されているので、衝撃が加えられても、球形部１２６が凹部１４２に密着しており、隙間ができにくい。
【００７９】
次に、本発明の支持構造、光走査装置の取付構造、光走査装置、及び画像形成装置の第２実施形態を図面に基づき説明する。
【００８０】
なお、前述した第１実施形態と基本的に同一の部品には、前記第１実施形態と同一の符号を付与してその説明を省略する。
【００８１】
図６は、プリンタ１０の筐体のフレーム１８０とフレーム１８２の間に、光走査装置２１０が張架され支持された状態を示している。
【００８２】
光走査装置２１０の本体を形成する光学箱２１１の一方の側面から外方に向けて、直方体状の支持ベース２１２、２１８及び支軸２１４、２２０が突設されている。
【００８３】
支軸２１４の端部には、球形状の球形部２１６が設けられており、支軸２２０の端部には、球形状の球形部２２２が設けられている。
【００８４】
一方、光学箱２１１の他方の側面から外方に向けて直方体状の支持ベース２２４及び支軸２２６が突設されており、支軸２２６の端部には、半球形状の半球部２２８が設けられている。
【００８５】
ここで、フレーム１８０には、球形部１８８が挿通可能な挿通穴１８４と、球形部２２２が挿通可能な挿通穴１８６が設けられている。
【００８６】
挿通穴１８４は、球形部１８８を挿通する丸穴部と支軸２１４を挿通する縦穴部とで構成されており、丸穴部及び縦穴部は連通している。
【００８７】
挿通穴１８６は、球形部２２２を挿通する丸穴部と支軸２２０を挿通する縦穴部とで構成されており、丸穴部及び縦穴部は連通している。
【００８８】
挿通穴１８４、１８６の下端部には、それぞれ球面状の凹部１８８、１９０が設けられている。
【００８９】
また、挿通穴１８４、１８６の上方には、ネジ締め用の締結穴１８９、１９１が形成されており、締結穴１８９、１９１の上方には、凸状のボス１９４、１９６が設けられている。
【００９０】
ここで、光学箱２１１の球形部２１６、２２２が、それぞれ挿通穴１８４、１８６を挿通され、支軸２１４、２２０が押し下げられることにより、光学箱２１１の一方側がフレーム１８０に支持される。
【００９１】
続いて、板バネ１９８、２００が、それぞれボス１９４、１９６で位置決めされ、ネジ２０２、２０４が締結穴１８９、１９１に締結されることで、フレーム１８０に球形部２１６、２２２が固定される。
【００９２】
板バネ１９８、２００は、球形部２１６、２２２をフレーム１８０に付勢しており、球形部２１６と凹部１８８が嵌合し、球形部２２２と凹部１９０が嵌合する。
【００９３】
一方、フレーム１８２には、支軸２２６が挿通可能な挿通穴１９２が形成されており、さらにネジ締結用の締結穴１９３及び１９５が形成されている。
【００９４】
フレーム１８２の外面には、ネジ２３４が締結穴１９３、１９５に締結されることで、調整板金２３０が固定される。
【００９５】
調整板金２３０は、前述の調整板金１５０（図５ａ参照）と同様に、図示しない調整用チャック、固定用穴、調整用凹部、支持凹部が形成されている。
【００９６】
ここで、側壁１８２と調整板金２３０との隙間に挟まれることにより、板バネ２３６が固定される。
【００９７】
板バネ２３６は、前述の板バネ１５６（図５ｂ参照）と同様の形状となっている。また、調整板金２３０及び板バネ２３６により、支持部２３１が構成されている。
【００９８】
次に、本発明の第２実施形態の作用について図６を用いて説明する。
【００９９】
まず、光学箱２１１が、斜め（紙面左手前から紙面右奥の方向）に配置されながら、フレーム１８０とフレーム１８２の間に挿入される。
【０１００】
続いて、球形部２１６、２２２が、挿通穴１８４、１８６を挿通され、支軸２１４、２２０が挿通穴１８４、１８６の下端部まで押し下げられる。
【０１０１】
続いて、板バネ１９８、２００がボス１９４、１９６で位置決めされ、ネジ２０２、２０４でそれぞれフレーム１８０に固定される。このとき、板バネ１９８、２００は、球形部２１６、２２２にそれぞれ当接し、フレーム１８０側に押圧する。
【０１０２】
これにより、球形部２１６、２２２と凹部１８８、１９０とが嵌合し、光学箱２１１の一方の側面が支持される。
【０１０３】
一方、光学箱２１１の他方の側面では、支軸２２６及び半球部２２８が挿通穴１９２を挿通され、調整板金２３０がネジ２３４によりフレーム１８２に仮固定されて、支軸２２６が支持される。
【０１０４】
続いて、フレーム１８２と調整板金２３０とに挟まれて固定された板バネ２３６が、半球部２２８に当接する。
【０１０５】
続いて、図示しない調整治具が、調整板金２３０を上下、左右、斜め方向に移動させるとともに、各シングルレーザビームアレイ１１０Ｙ〜１１０Ｋ（図２参照）から出射され、紙面奥方向に向けて反射された各色光ビーム６０Ｙ〜６０Ｋの光走査位置等が、図示しない測定手段により測定される。
【０１０６】
このとき、光学箱２１１がどの方向に移動されても、球形部２１６、２２２は、フレーム１８０の凹部１８８、１９０の表面に沿って回転移動するので、光学箱２１１は引っ掛かることなく、滑らかに移動し、調整がし易い。
【０１０７】
各色光ビーム６０Ｙ〜６０Ｋの光走査位置等が、予め設定された調整規格内となったら、ネジ２３４を締結し、調整板金２３０をフレーム１８２の外面に固定する。
【０１０８】
調整板金２３０の固定により板バネ２３６が、半球部２２８をフレーム１８２から離れる方向に付勢する。
【０１０９】
上記調整終了後、ネジロック等の接着剤を用いて、支軸２２６が調整板金２３０及びフレーム１８２に固定される。
【０１１０】
ここで、光学箱２１１は、板バネ１９８、２００、及び板バネ２３６の付勢力により一方向に付勢されているので、衝撃が加えられても、球形部２１６、２２２が凹部１８８、１９０に密着しており、隙間ができにくい。
【０１１１】
なお、本発明は上記の実施形態に限定されない。
【０１１２】
Ｆθレンズ１１８以外に、Ｆθレンズ１１６、反射ミラー１１１、１１５Ｙ〜１１５Ｋ、１１７Ｙ〜１１７Ｋ、光分離多面鏡１１３等の光学部品の支持構造に適用できる。
【０１１３】
球形部１２６、２１６、２２２は、側壁１３４、フレーム１８０の凹部１４２、１８８、１９０と接しない範囲において、略平面状の端部を有するものであってもよい。
【０１１４】
半球部１３２の凹部１６８は、上記以外の多角形状のものであってもよく、長方形の溝や、十字形の溝を形成してもよい。
【０１１５】
また、球形部１２６、２１６、２２２及び半球部１３２、２２８は、一体成型されたものでなくともよく、ネジ溝が形成された軸部が設けられた球体を、支軸にねじ込み締結させるような分割式のものであってもよい。
【０１１６】
凹部１４２、１８８、１９０及び縦穴部１３８Ｂ、１８４Ｂ、１８６Ｂは、丸穴部１３８Ａ、１８４Ａ、１８６Ａより上方に位置するものであってもよい。
【０１１７】
支軸１２４、１３０、２１４、２２０、２２６は、直方体形状以外に、円筒形状のものであってもよい。
【０１１８】
板バネ１４４、１５６、１９８、２００、２３６は、への字形状だけでなく、平板形状のものであってもよく、また、先端部に突起部を有し、突起部で付勢するものであってもよい。
【０１１９】
板バネ１５６、２３６の替わりに、コイルバネを用いてもよく、また、ゴム等の弾性を有する弾性部材を調整板金１５０、２３６と半球部１３２、２２８との間に挿入してもよい。
【０１２０】
ボス１３６、１４８、ネジ１４６、１５２、１５４、２０２、２０４、２３４の個数は自由に変更可能であり、取り付け位置も、上記以外の位置に適宜設定できる。  
【０１２１】
光走査装置２１０の支軸２１４、２２０、２２６の設置位置は、光走査装置２１０の側面における上記以外の場所に設置可能であり、また、設置箇所も、複数箇所設置できる。
【図面の簡単な説明】
【０１２２】
【図１】本発明の第１実施形態に係るプリンタの断面図である。
【図２】本発明の第１実施形態に係る光走査装置の断面図である。
【図３】本発明の第１実施形態に係るＦθレンズの支持構造の断面図である。
【図４】（ａ）本発明の第１実施形態に係るＦθレンズの一端部及び側壁の一部を拡大した斜視図である。（ｂ）本発明の第１実施形態に係るＦθレンズの支持構造の部分断面図である
【図５】（ａ）本発明の第１実施形態に係る調整板金の斜視図である。（ｂ）本発明の第１実施形態に係る板バネの斜視図である。（ｃ）本発明の第１実施形態に係る調整板金及び板バネの組付図である。
【図６】本発明の第２実施形態に係る光走査装置の取付構造の断面図である。
【符号の説明】
【０１２３】
１０  プリンタ  （画像形成装置）
１００  光走査装置（光走査装置）
１０２  光学箱（筐体）
１１８  Ｆθレンズ（光学部品）
１２４  支軸（軸部）
１２６  球形部（球体部）
１３０  支軸（軸部）
１３２  半球部（固定側球体部）
１３４  側壁（側壁）
１３６  側壁（側壁）
１３８  挿通穴（貫通孔）
１４２  凹部（凹部）
１４４  板バネ（付勢部材、弾性部材）
１５０  調整板金（プレート）
１５３  支持部（支持部）
１５６  板バネ（付勢部材、弾性部材）
１６８  凹部（凹部）
１８０  フレーム（フレーム）
１８２  フレーム（フレーム）
１８４  挿通穴（貫通孔）
１８６  挿通穴（貫通孔）
１８８  凹部（凹部）
１９０  凹部（凹部）
１９８  板バネ（付勢部材、弾性部材）
２００  板バネ（付勢部材、弾性部材）
２１０  光走査装置（光走査装置）
２１１  光学箱（筐体）
２１４  支軸（シャフト）
２１６  球形部（球体部）  
２２０  支軸（シャフト）
２２２  球形部（球体部）
２２６  支軸（シャフト）
２２８  半球部（固定側球体部）
２３０  調整板金（プレート）
２３１  支持部（支持部）
２３６  板バネ（付勢部材、弾性部材）
【図１】
2008046400.tif 000003
【図２】
2008046400.tif 000004
【図３】
2008046400.tif 000005
【図４】
2008046400.tif 000006
【図５】
2008046400.tif 000007
【図６】
2008046400.tif 000008